(57)【要約】【課題】衛生的で使い勝手の良い液体塗布具を提供する。【解決手段】包装体１内に、該包装体１外部からの外力によって圧潰可能な液体封入カプセル２と、該カプセル２に隣接配置した液体吸収材から成る塗布部３を端部に設けた塗布具本体４を密封することにより、使用する直前に包装体１外からカプセル２を圧潰してこれに封入された液体Ｌを塗布部３に含浸させて包装体１から塗布具本体４を取り出して使用する。【選択図】図１
2006034416.tif 000002
【特許請求の範囲】
【請求項１】
包装体内に、該包装体外部からの外力によって圧潰可能な液体封入カプセルと、該カプ
セルに隣接配置した液体吸収材から成る塗布部を端部に設けた塗布具本体を密封したこと
を特徴とする液体塗布具。
【請求項２】
カプセルにおいて、塗布部との対向部位は外力作用時に封入液流出口が形成される様に
薄肉形成したことを特徴とする請求項１記載の液体塗布具。
【請求項３】
塗布部には粉末を担持したことを特徴とする請求項１又は２記載の液体塗布具。
【発明の詳細な説明】
【技術分野】
【０００１】
本発明は、薬液や化粧水又はその他の液体を塗布部に含浸させて塗布する液体塗布具に
関するものである。
【背景技術】
【０００２】
従来、この種の液体塗布具としては、綿棒の端部に設けた綿球部に予め薬液、化粧水、
その他の液体を含浸させ、この綿棒を包装体で密封したものが見受けられる（例えば、特
許文献１参照）。
【特許文献１】実開昭６４−２０８５７号公報
【発明の開示】
【発明が解決しようとする課題】
【０００３】
しかしながら、上記液体塗布具では綿球部に含浸させておいた薬液等の液体が染み出し
て包装体内を自由に流れるため、綿球部の形態が崩れ不衛生に感じとられたり、使用時に
把持部と成る軸棒にも液体が付着し、使用に際し手に液体が付くため不衛生で使い勝手が
悪く、又使用時に綿球部に必要量の液体を含浸して塗布できない等の不具合を有していた
。
【課題を解決するための手段】
【０００４】
本発明は、包装体内に、該包装体外部からの外力によって圧潰可能な液体封入カプセル
と、該カプセルに隣接配置した液体吸収材から成る塗布部を端部に設けた塗布具本体を密
封することにより、使用する直前に包装体外からカプセルを圧潰してこれに封入された液
体を塗布部に含浸させて包装体から塗布具本体を取り出して使用する様にして、上記課題
を解決する。
又、カプセルにおいて、塗布部との対向部位は外力作用時に封入液流出口が形成される
様に薄肉形成して指圧で簡単にカプセルを圧潰できる様にしたり、又塗布部には粉末を担
持してカプセルから流出させた液体と混和させて液体と共に粉末を塗布する様にしても良
い。
【発明の効果】
【０００５】
要するに請求項１に係る発明では、包装体の外部からカプセルを外力を作用させて圧潰
することにより、カプセル内に封入された液体が包装体内に流出し、かかる液体がカプセ
ルに隣接配置された液体吸収材から成る塗布部に吸収させられるので、液体を塗布具に簡
単にして確実に含浸でき、この様に塗布部に液体を含浸させた状態で包装体から塗布具本
体を取り出して、塗布部を介して薬液、化粧液等の液体を塗布するだけのため使用が簡便
である。
又、本発明によれば、液体はカプセルにより封入保存されるので、揮発性を有する液体
であっても揮発せず長期保存が可能であり、又使用する直前にカプセルを圧潰して包装体
内で塗布部に液体を含浸させるので、液体が包装体内全体を流動したり、前記含浸時に包
装体外部への飛散、漏洩がなく、カプセル内の液体を無駄なく塗布部に吸収させられ、例
え塗布部に綿球を用いてもその形態が崩れる様なこともないし、塗布具本体において塗布
時に把持部と成る部位に液体が付着せず衛生的である。
しかも、流動性を有する液体でなく、液体を予め封入したカプセルを塗布具本体と共に
包装体内に密封するだけのため、その生産は簡便にして大量生産が可能である。
【０００６】
請求項２に係る発明では、カプセルにおいて、塗布部との対向部位は外力作用時に封入
液流出口が形成される様に薄肉形成したので、包装体外部よりカプセルに外力を作用させ
る際には、前記薄肉部が指圧で容易に裂開させられ封入液流出口を簡単に形成でき、該封
入液流出口より流出する液体を塗布部に迅速にして確実に吸収させることができる。
【０００７】
請求項３に係る発明では、塗布部には粉末を担持したので、カプセルを圧潰してこれよ
り流出した液体が塗布部に吸収されると粉末と混和して、液体と共に粉末を塗布できる。
例えば、塗布部に担持した粉末が歯磨き粉で、カプセルに封入した液体が精油（香料）
とした場合、塗布具本体を歯磨き用具として用い、精油によって歯磨き粉の味や匂いをマ
スキングして清涼感、爽快感を付与できたり、又塗布部に担持した粉末が制汗パウダーで
、カプセルに封入した液体が清涼剤とした場合、塗布具本体を制汗用具として用い、制汗
パウダーによって皮脂分泌を抑制すると共に清涼剤によって清涼感、爽快感を付与できる
等その実用的効果甚だ大である。
【発明を実施するための最良の形態】
【０００８】
以下本発明の実施の形態としての実施例を図面に基づいて説明する。
本発明に係る液体塗布具は、包装体１内に、液体封入カプセル２と、該カプセル２に隣
接配置した塗布部３を端部に設けた棒状の塗布具本体４を密封したものである。
包装体１は、カプセル２と塗布具本体４を直列配置した１組の内容物２、４を密封包装
して成り、複数の包装体１が個々に切り離し可能に連結されて包装体群５を構成している
。
包装体群５は、上下のフィルム６、6a間に各内容物２、４を並列に離間配置し、フィル
ム６、6aにおける各内容物２、４の周囲を圧着接合することにより、複数の包装体１を並
列に連設し、各包装体１間に存するフィルム６、6aの圧着接合部位にミシン目等の切断線
７（図中一点鎖線で表示）を形成し、該切断線７より包装体１を相互に分離可能と成して
いる。
【０００９】
包装体群５（包装体１）を構成するフィルムとしては、ポリプロピレン等の熱溶着性フ
ィルムやアルミニウムフィルムなどが用いられるが、少なくとも上下のうち一方に紫外線
吸収機能を有する透明フィルム（図示例では上方のフィルム６を透明としている。）を用
いるのが好ましい。
又、各包装体１の適所には、開封性を容易にするためのノッチ（図示せず）を形成して
も良い。
尚、本実施例では、塗布具本体４の両端に塗布部３を設け、その一方の塗布部３にカプ
セル２を隣接配置して包装体１内に密封したものを示したが、他方の塗布部３にも別途カ
プセル２を隣接配置、即ち包装体１内に塗布具本体４と２個のカプセル２を密封しても良
い。
【００１０】
カプセル２は、ゼラチン、アルギン酸ナトリウム、ポリエチレン、又はポリプロピレン
等から成る皮膜で液体Ｌを一体的に封入したソフトカプセル（図１〜４参照）、又は、前
記と同様なる材質にして、一端が開口され、他端が球冠状に閉塞された有底筒状のボディ
部2aとキャップ部とから成り、液体Ｌを充填したボディ部2aの開口端にキャップ部2bの開
口端を嵌合してその重なり部分をバンドシール2cしたハードカプセル（図５参照）から成
るものであり、ソフト、ハードのいずれのタイプのカプセル２も包装体１外部からの外力
によって圧潰可能に形成され、その圧潰によって封入した液体Ｌを流出させる様に成して
いる。
又、カプセル２は、塗布具本体４の塗布部３との対向部位となる一端部が、上記外力作
用時に封入液流出口8aが形成される様に薄肉形成している。
【００１１】
カプセル２内に封入される液体Ｌとしては、用途や使用目的に応じ適宜選択されるもの
であるが、例えばヨードチンキ等の薬液、オキシドール等の消毒液、軟膏、メントール、
精製水、有機溶剤、ベビーオイル、化粧水、化粧クリーム、コラーゲン、除光液などが挙
げられる。
【００１２】
塗布具本体４は、プラスチック、紙製等の軸棒９の両端に液体吸収材から成る塗布部３
を設けている。
塗布部３を構成する液体吸収材としては、例えばスポンジ、発泡ポリウレタン、発泡ポ
リスチレン、発泡合成ゴム等の発泡樹脂や、脱脂綿、不織布などが挙げられ、かかる液体
吸収材を所定形状に形成して軸棒９の両端に設けている。
尚、脱脂綿を軸棒９の端部に巻き付けた塗布具本体４は所謂綿棒であり、図示例の塗布
具本体４は綿棒である。
【００１３】
塗布部３には、カプセル２から流出させた液体Ｌが含浸されることにより混和される粉
末を担持しても良い。
上記粉末としては、歯磨き粉、ステアリン酸亜鉛又は亜鉛華を主成分とする制汗パウダ
ーなどが挙げられ、例えば塗布部３に歯磨き粉を担持した塗布具本体４には、精油等の歯
科用香料の液体Ｌを封入したカプセル２を組み合わせて用いたり、塗布部３に制汗パウダ
ーを担持した塗布具本体４には、メントール、ハッカ油等の清涼剤の液体Ｌを封入したカ
プセル２を組み合わせて用いる。
【００１４】
上記の様に構成された液体塗布具は、使用に際して包装体群５から包装体１を切り離し
、該包装体１の開封前に包装体１外部からカプセル２を上下から押圧して圧潰する。
これにより、包装体１内で塗布部３に対向したカプセル２の薄肉部８が裂開して液体流
出口8aが形成され、該流出口8aより封入された液体Ｌが包装体１内に流出し、塗布部３が
液体Ｌを吸収する。
そして、包装体１を開封して塗布具本体４を取り出し、液体Ｌを含浸した塗布部３を身
体各所に塗布、例えば液体Ｌが薬液であれば塗布具本体４を創傷処置用の衛生具として傷
口に薬液を塗布し、又液体Ｌが化粧水であれば塗布具本体４を化粧用具として顔等に化粧
水を塗布する。
【００１５】
塗布部３に歯磨き粉や制汗パウダー等の粉末を担持したものでは、その粉末に組み合わ
された液体Ｌが塗布部３に吸収されることにより、その粉末が分散、膨潤などして混和さ
れる。
そして、塗布部３に歯磨き粉を担持した塗布具本体４では、使用に際しカプセル２から
流出した精油等の液体Ｌを塗布部３に吸収させて歯磨き用具として用い、塗布部３で歯磨
きすることで液体Ｌによって歯磨き粉の味や匂いをマスキングして清涼感、爽快感を付与
する。
又、制汗パウダーを担持した塗布具本体４では、塗布部３にカプセル２から流出した清
涼剤等の液体Ｌを吸収させて制汗用具として用い、塗布部３にてその粉末及び液体Ｌを鼻
頭や小鼻等に塗布して鼻脂を拭き取り、そこに塗布された粉末と液体Ｌにより皮脂分泌を
抑制して清涼感を付与する。
【図面の簡単な説明】
【００１６】
【図１】包装体群を示す一部破断平面図である。
【図２】包装体の縦断面図である。
【図３】図２の要部拡大図である。
【図４】カプセルを圧潰した状態を示す要部拡大断面図である。
【図５】ハードカプセルを用いた液体塗布具の要部拡大断面図である。
【符号の説明】
【００１７】
１  包装体
２  カプセル
３  塗布部
8a  封入液流出口
【図１】
2006034416.tif 000003
【図２】
2006034416.tif 000004
【図３】
2006034416.tif 000005
【図４】
2006034416.tif 000006
【図５】
2006034416.tif 000007